(57)【要約】【課題】生産性が良好でコスト的に優れた、高品質のヒラタケ属茸の栽培、収穫方法を提供する。【解決手段】乾物換算３〜７重量％の活性炭を含む培地を加熱殺菌後、ヒラタケ属茸種菌を接種し、菌回り培養および芽出しを行い、次いで生育、採取することにより、高品質のヒラタケ属茸を短期間で安定して取得できる。【選択図】図２
2004089105.tif 000002
【特許請求の範囲】
【請求項１】
オガコと栄養材および全培地に対し乾物換算で３〜７重量％の活性炭を含む培地を加熱殺菌後、ヒラタケ属茸種菌を接種し、菌回り培養および芽出しを行い、次いで生育、採取することを特徴とするヒラタケ属茸の栽培方法
【請求項２】
ヒラタケ属茸がエリンギであることを特徴とする請求項１のヒラタケ属茸の栽培方法
【請求項３】
活性炭がヤシ殻活性炭またはヤシ殻を主材料とするブレンド活性炭であることを特徴とする請求項１乃至３のヒラタケ属茸の栽培方法
【請求項４】
活性炭の含有量が全培地に対し乾物換算で４〜６重量％であることを特徴とする請求項１乃至３のヒラタケ属茸の栽培方法
【発明の詳細な説明】
【０００１】
【発明の属する技術分野】本発明は、エリンギを代表とするヒラタケ属茸の栽培方法に関する。
【０００２】
【従来の技術】オガコと栄養材からなる培地に活性炭を添加して茸を栽培することは、特開昭５５−１２０７２０号および特開昭６１−２０１６８６号明細書に開示されている。
【０００３】しかしながら、前者の明細書では、培地への活性炭添加量は、０．１重量％が適量であるとしており、０．６重量％も加えると、逆効果で、無添加の場合より収量が劣るとしている。本発明者らの研究によれば、このような少量の活性炭添加量では、ヒラタケ属茸では効果が見られず、実用に耐えない。
【０００４】一方、後者の明細書では、培地全量に対し２０〜４０％に相当する活性炭を配合するとしている。活性炭は高価な素材であるので、このような高い配合率であると、費用対効果からみて茸栽培農家にとってコスト倒れとなり、全く実用化できない。さらに、この明細書では、シメジやエノキ茸について説明があるが、エリンギをはじめとするヒラタケ属茸について言及がされていない。
【０００５】これらの従来技術の欠点を克服するものとして、特開２００１−２３８５４１号明細書に、表面をセラミックスで被覆した活性炭を使う方法が開示されている。この方法で使用されるセラミックス表面被覆活性炭は、茸栽培用など特殊用途向けに特別に製造されるものであるので、必然的に製造コストが高く、高価になる欠点がある。
【０００６】本発明者らは、汎用品として通常大量に製造され入手も容易な活性炭そのものを使い、食用茸として人気が高いエリンギ、ヒラタケ、ウスヒラタケ、トキイロヒラタケなどに代表されるヒラタケ属茸の栽培法を研究し、従来の常識を覆し、従来法の欠点を無くした本発明を完成することができた。
【０００７】ヒラタケ属茸の中でも、特にエリンギは、香りヒラタケとか白鳳茸とも呼ばれ、長さ１２〜１３ｃｍ、かさの直径７〜８ｃｍで茎も太く、ずっしりと肉が締まっていて、歯ごたえ、食味、日持ちの良さから、消費者に人気の高い茸である。しかし、平成５年に愛知県で導入されたばかりの新品目茸であるので、未だ十分な栽培実績があるとはいえず、生育前記に子実体が萎縮する立ち枯れ症状の被害が起きたり、収量、品質など生産が安定しないことが多いという生産上の問題を抱えているため、高価な茸となっている。
【０００８】
【発明が解決しようとする課題】
本発明は、上記したようにな従来技術が持っている欠点、すなわち生産性の低さや高コスト性を改善し、高品質のヒラタケ属茸を安いコストで安定して栽培し、収穫できるようにすることを課題としている。
【０００９】
【課題を解決するための手段】
本発明は、オガコと栄養材および全培地に対し乾物換算で３〜７重量％の活性炭を含む培地を加熱殺菌後、ヒラタケ属茸種菌を接種し、菌回り培養および芽出しを行い、次いで生育、採取することを特徴とするヒラタケ属茸の栽培方法である。
【００１０】オガコとしては、針葉樹および広葉樹いずれも使用し得るが、通常、入手が容易なスギ材でよい。新しいオガコの場合、一般の行なわれているように、６ヶ月以上堆積熟成させることにより、オガコ中に含まれる樹脂成分その他の有害物質を取り除いてから、使用する。
【００１１】栄養剤としては、米ヌカ、フスマ、コーンコブミール、豆腐粕、綿実殻、大豆皮、ホミニーフィード、特殊フスマなどがあり、入手の容易性や価格あるいは栄養成分値を勘案して適宜選択し、単品でも複数の併用でも使用できる。
【００１２】栄養剤は、オガコに対し乾物換算で通常２５〜８０重量％程度、特に５０〜７５重量％使用する。
【００１３】本発明においては、活性炭は、特開２００１−２３８５４１号発明におけるようなセラミックス被覆などの特殊処理を施したものでなく、一般に入手可能な活性炭を使用できることが特長である。なかでもヤシ殻活性炭が適当であり、ヤシ殻と他の植物材とのブレンド活性炭であってもよい。
【００１４】活性炭は、ロータリーキルンや縦炉などで４００〜６５０℃の炭化（蒸焼）を揮発分が無くなるまで行ない、次いで、焼成炉の形状により若干異なるが、８５０〜１０００℃程度での水蒸気賦活を１２〜１５時間程度行うことで高活性のものが生産できる。
【００１５】活性炭粒度は３０〜１５０メッシュがよく、特に４０〜１００メッシュであることが望ましい。そのほかの望ましい活性炭の性状としては、硬度が９０％以上、水分率１５％以下（望ましくは、１２％以下）、ｐＨ値は９．０〜１１．０（エリンギなどの生育適正ｐＨが６．０〜７．０とされているので低目が望ましいと思われるが、添加量が少ないので上記範囲であれば、実際上問題にならない。）、電気伝導率２８０〜４００μｓ／ｃｍ、灰分含量５〜１５％（最適８〜１２％）、ヨウ素吸着性能１０００〜１２００ｍｇ／ｇ、シクロヘキサン吸着性能２５％以上、好ましくは３０％以上、比表面積１０００〜１２００ｍ２／ｇである。
【００１６】活性炭の配合量は、コストに大きく影響するので、オガコや栄養剤の種類などに応じてできるだけ予備テストをし、費用対効果の面で最も効率の良い量にするべきである。通常、乾物換算で全培地に対し３〜７重量％がよく、特に４〜５重量％が好ましい。３重量％未満では、効果が弱く、また７重量％超となると、技術的な効果は認められるものの、活性炭の原単位コストが大きくなるため、経済的なデメリットが生じ、実用的とはいえない。
【００１７】活性炭添加による作用効果としては、（１）活性炭の細孔空隙部分に存在する酸素による生育促進、（２）活性炭の吸着力（ファンデアワールス力）による茸が放出する二酸化炭素の除去、（３）（２）と同様に茸が出すエチレンガスの吸着除去による生育促進、（４）活性炭に含まれる灰分のミネラルによる生育促進などがある。
【００１８】
【発明の実施の形態】次に本発明における各工程について説明するが、これらは例示であって、本発明はこれらに限定されるものではない。
【００１９】オガコと栄養剤および活性炭を、上記したような配合比率で良く混合し、加水して水分率を６０〜７０％（特に６５〜６７％が望ましい。）とする。次いで、これを例えば通常使用される８５０ｍｌ容量の広口培養瓶に５３０ｇ程度入れ、培地面中央に直径１．５〜３ｃｍの棒で種菌接種用の穴を空けておき、施栓する。栓としては通気性のあるウレタン製の栓を用いるのが良い。施栓したものを１１０〜１２０℃で２５分〜１時間高圧加熱殺菌する。この高圧加熱殺菌の前後に１００℃で２時間程度の加熱工程を付加しておけば万全であるが、必須ではない。
【００２０】殺菌終了後、放冷し、培地温度が２０〜２５℃になったことを確認したら、栓を開け、オガコ主材の培地で培養した目的ヒラタケ属種菌を１５ｇ程度接種し、施栓した後、培養室の室内温度２０〜２５℃、室内湿度６０〜８０％、室内二酸化炭素濃度３，０００ｐｐｍ以下において培養する。エリンギの場合、接種から１５〜２０日程度で培地全体に菌回りするので、それを確認したら、栓を外し、菌かき（平がき）をし、菌かき水で霧吹きを数回行い（菌かき水量２〜４ｍｌ）、そのまま芽出し工程にかける。
【００２１】芽出しは、温度を１５〜１７℃程度に下げ、湿度を９０〜１００％に高め、二酸化炭素濃度を１０００ｐｐｍ以下とするのが良い。光照射も、３００ルックス程度の光で１日数回に分け、合計１時間ほど照射した方が良い。
【００２２】１３〜１４日程度で小さな子実体の芽が出、瓶口の高さまで伸びるるので、温度は１〜２℃下げ（１３〜１６℃とする。）、湿度は９０〜９５％、濃度は１０００ｐｐｍ以下とし、３００ルックス程度の光を数回に分け１日当たり合計３０分〜２時間程度づつ照射して２週間ほど生育を促す。芽出し、生育工程に至る前では、作業に必要な照明はするが、菌のための照明は特に必要としない。
【００２３】
【実施例および比較例】
エリンギ供試菌株としてＰｌｅｕｒｏｔｕｓ　ｅｒｙｎｇｉｉ　長野県野菜花き試験場保有菌株Ｅ−Ａｃｈ（以下Ｅ−Ａｃｈ）を用いた。栽培容器は８５０ｍｌ、５８ｍｍ口径のＰＰビンを用い、キャップはＰＰウレタン栓を使用した。
培地基材として、６ヶ月以上加水堆積したスギオガコ１ビン当り２１１〜１８２ｇ（活性炭添加量に従い減じた）を用い、これに栄養剤として１ビン当りコメヌカ４５ｇ、フスマ４５ｇ、コーンコブ２５ｇ（生重）を添加し、さらに添加剤として活性炭「ホクエツＨＪＡ−４０Ｙ」（味の素ファインテクノ株製品、ｐｈ　１０．２５）を２．５ｇ（比較例１；培地中乾物重量当り含量１．３７％）、５．０ｇ（比較例２；同含量２．７５％）、７．５ｇ（実施例１；同含量４．１２％）または１０．０ｇ（実施例２；同含量５．５％）添加した。活性炭をまったく添加しないで同様操作したものを対照とした。
【００２４】これらをミキサーで攪拌しながら水道水を加え、水分率を６６％に調整、栽培用培地とした。（上記は、説明上１ビンについて言及したが、各比較例、各実施例および対照からなる各試験区分においては、３３本ずつの培養ビンを同時に使用したので、培地調整は、上記の３３倍量で行い、１ビン当り５３５ｇずつ充填した。）
【００２５】培地充填後、培地のビン中央部に直径２０ｍｍ程度の種菌接種孔を、図１の写真に示すように、ビン底まで形成した。この培地を、高圧殺菌釜に入れ、１１８℃で３０分間加熱殺菌した後、ダストレベルクラス１０００のクリーンルームでビン温が約２０℃に低下するまで放冷した。
【００２６】殺菌後、各試験区から１ビンずつ任意に取り出し、培地の水分率、ｐｈ、糖度を測定した。その結果を表１に示す。水分率の測定は、殺菌後のビン内の培地を上部４分の１程掻き出し、残った培地を良く攪拌したものから１０ｇ抽出し、ＪＡＳ法に従い１０５℃、２４時間の乾熱処理を行い、前後の検体重量から質量基準による百分率で算出した。ｐｈ測定は、イオン交換水により上記培地を重量比５：１に希釈し常法により測定した。糖度は、光学屈折式の糖度計で測定した。
【表１】
2004089105.tif 000003
【００２７】殺菌・放冷後の全ての培地に、粉砕したＥ−Ａｃｈのオガコ種菌を接種孔内および培地表面に１５ｇずつ接種し、栽培用菌床を得た。栽培用菌床の培養は、室内温度２３±１℃、室内湿度７０％±１０％、室内二酸化炭素濃度３０００ｐｐｍ以下となるように設定された培養室で行い、その間照明は作業時の天井の蛍光灯のみとした。
【００２８】接種後３６日で培養を終え、菌かき作業を実施した。菌かき方法は、菌床面にそって種菌を掻き取る平がきで、菌床に霧吹きで各ビンについて３ｍｌ程度の菌かき水を施した。
【００２９】子実体の発生は、子実体の菌傘の径が５ｍｍ程度になるまで、室内温度１６℃±１℃、室内湿度９５〜１００％、室内二酸化炭素濃度が１０００ｐｐｍ以下となるように設定された芽出し室で行った。このときの照明は蛍光灯により、照度３００Ｌｕｘ程度で１回１５分間ずつ１日４回、合計１時間実施した。
【００３０】子実体がビン口まで成長した時（これまでの日数を「芽出し日数」とする。）、室内温度が１５℃±１℃、室内湿度が９０〜９５％、室内二酸化炭素濃度が１０００ｐｐｍ以下となるように設定された生育室に移し、芽出し室と同様の照明管理を行い、子実体の生育を行なった。菌傘が平らになった時点で子実体を収穫した。収穫は発生した子実体を全て収穫する株取りで行い、１ビンからの発生は１回のみとした。各比較例、実施例および対照の成績を表２に示す。
【表２】
2004089105.tif 000004
【００３１】実施例１および２の場合、対照や比較例に比べ、種菌接種から収穫までの日数、特に菌回り日数が短縮され、合計で約３日から５日程短縮された。また、収量は、実施例１では対照に比べ差は見られなかったが、品質が良く、実施例２では収量および品質面のいずれにおいても優れていた。
【００３２】種菌接種後５６日後の各試験区分におけるエリンギの平均的な生育例の写真を図２に示す。
【００３３】
【発明の効果】以上から明らかな通り、本発明によれば、入手が容易な活性炭そのものを比較的少量使用することで、短期間の培養で、高品質のエリンギをはじめとする、高価なヒラタケ属茸を安定して生産することが可能である利点がある。
【図面の簡単な説明】
【図１】は、培地に種菌を接種する前の培養ビンの写真である。
【図２】は、種菌接種後５６日後の各試験区分におけるエリンギの平均的な生育例の写真である。左端が対照、次が比較例１、３番目が比較例２、
４番目が実施例１、右端が実施例２のものである。
【図１】
2004089105.tif 000005
【図２】
2004089105.tif 000006